(57)【要約】【課題】組立作業が簡易で、タッチ入力パネルが任意の箇所で同時使用可能なコードレスタッチ装置を提供する。【解決手段】タッチ入力パネル１１と、電波放射素子１２とを有し、タッチ方式によってタッチ入力パネル１１の上で書いた文字や図形をデジタル信号に変換して、電波放射素子１２を介して電波を外部に放射する入力ユニット１０と、受信機２１と、ホスト２２と、ディスプレー２３とを有し、受信機２１が入力ユニット１０から放射された電波をホスト２２の処理ユニットに伝送した後、入力ユニット１０のタッチ入力パネル１１の上で書いた文字や図形と同様な文字や図形がディスプレー２３に表示される受信装置２０と、を有する。【選択図】図３
0003135333.tif 000002
【実用新案登録請求の範囲】
【請求項１】
タッチ入力パネルと電波放射素子とを有し、タッチ方式によってタッチ入力パネルの上で書いた文字や図形をデジタル信号に変換して、電波放射素子を介して電波を外部に放射する入力ユニットと、
受信機とホストとディスプレーとを有し、前記受信機が前記入力ユニットから放射された電波を接収して前記ホストの処理ユニットに伝送した後、前記入力ユニットのタッチ入力パネルの上で書いた文字や図形と同様な文字や図形が前記ディスプレーに表示される受信装置と、
を備えることを特徴とする同時使用可能なコードレスタッチ装置。
【請求項２】
前記入力ユニットは複数組あることを特徴とする請求項１に記載の同時使用可能なコードレスタッチ装置。
【請求項３】
前記ディスプレーは電子白板であることを特徴とする請求項１に記載の同時使用可能なコードレスタッチ装置。
【請求項４】
前記ディスプレーは電子白板であることを特徴とする請求項２に記載の同時使用可能なコードレスタッチ装置。
【考案の詳細な説明】
【技術分野】
【０００１】
本考案は、同時使用可能なコードレスタッチ装置に係り、特に電波技術により、同一の空間内の多数のユーザがそれぞれのタッチ入力パネルの上で書いた文字や図形を同期に表示可能であり、インタラクティブ会議の討論のプラットフォームを提供する同時使用可能なコードレスタッチ装置に関するものである。
【背景技術】
【０００２】
図１に示すように、現在、市販しているタブレット３１は、有線でシングルユーザ式である。従来のタブレット３１は、接続ケーブル３２を介してホスト３３と接続し、タッチ方式によってタブレット３１の上で文字や図形を書いた後、ホスト３３が伝送されてきた信号を処理してディスプレー３４に表示するものであり、これは、シングルユーザー式のタブレット３１であり、パーソナル報告の場合だけに適用可能である。
【考案の開示】
【考案が解決しようとする課題】
【０００３】
しかしながら、従来のシングルユーザー式のタブレット３１は、接続ケーブル３２を介してホスト３３に接続するので、組付作業は極めて不便であり、且つ接続ケーブル３２に制限されるので、タブレット３１の使用箇所を任意に変更することができず、そして一台のホスト３３に一台のタブレット３１が接続可能なため、一人のユーザーのみが使用可能である。そのため、従来のタブレット３１は、多人数のインタラクティブ会議に適用できず、先生と生徒とのインタラクティブ授業にも適用できない欠点があった。
【課題を解決するための手段】
【０００４】
上記欠点を解決するためになされた本考案は、タッチ入力パネルと、電波放射素子とを有し、タッチ方式によってタッチ入力パネルの上で書いた文字や図形をデジタル信号に変換して、電波放射素子を介して電波を外部に放射する入力ユニットと、受信機と、ホストと、ディスプレーとを有し、前記受信機が前記入力ユニットから放射された電波を接収して前記ホストの処理ユニットに伝送した後、前記入力ユニットのタッチ入力パネルの上で書いた文字や図形と同様な文字や図形が前記ディスプレーに表示される受信装置と、を有することを特徴とする同時使用可能なコードレスタッチ装置であることを要旨としている。
なお、前記入力ユニットは複数組あってもよい。
また、前記ディスプレーは電子白板であってもよい。
【０００５】
（考案の効果）
本考案の同時使用可能なコードレスタッチ装置によれば、次のような効果がある。
（イ）入力ユニット１０と受信装置２０とは無線方式で連接するので、ケーブルなどは一切必要なくなり、組付作業は便利になる。
（ロ）一定の空間内に、ユーザーはタッチ入力パネル１１を持って任意の箇所に移動しながら使用可能である。
（ハ）受信装置２０は、複数のユーザが使用している入力ユニット１０から伝送された信号を同時に受信可能であり、ディスプレー２３に同期に表示可能であるので、多人数のインタラクティブ会議に適用可能であり、先生と生徒とのインタラクティブ授業にも適用可能である。
【考案を実施するための最良の形態】
【０００６】
以下、添付図面を参照して本考案の一実施例を詳細に説明する。
まず、図２と図３とを参照する。本考案の一実施例による同時使用可能なコードレスタッチ装置は、入力ユニット１０と、受信装置２０とを有する。前記入力ユニット１０は、タッチ入力パネル１１と、電波放射素子１２とを有し、タッチ方式によってタッチ入力パネル１１の上で書いた文字や図形をデジタル信号に変換して、電波放射素子１２を介して電波（Radio Frequency）を外部に放射する。前記受信装置２０は、受信機２１と、ホスト２２と、ディスプレー２３とを有し、前記受信機２１が前記入力ユニット１０から放射された電波を接収して前記ホスト２２の処理ユニットに伝送した後、前記入力ユニット１０のタッチ入力パネル１１の上で書いた文字や図形と同様な文字や図形が前記ディスプレー２３に表示される。
【０００７】
図３に示すように、本実施例の同時使用可能なコードレスタッチ装置は、入力ユニット１０が複数組あってもよく、前記各入力ユニット１０のタッチ入力パネル１１の上で書いた文字や図形によって発生した信号、例えば四つのタッチ入力パネル１１の上でＡ、Ｂ、Ｃ、Ｄをそれぞれ書いて発生した信号は、前記各タッチ入力パネル１１にある電波放射素子１２にて外部に放射されて、同一の受信装置２０の受信機２１にて受信して、同一のディスプレー２３に文字など（本実施例では、Ａ、Ｂ、Ｃ、Ｄ）を同時に表示する。だから、本実施例の同時使用可能なコードレスタッチ装置は、インタラクティブ会議の討論のプラットフォームとして使用可能である。
【０００８】
本実施例の同時使用可能なコードレスタッチ装置において、前記受信装置２０のホスト２２は、ＰＣでもいいし、ノートＰＣでもよく、そしてディスプレー２３は、電子白板でもいいし、プロジェクターでもいいし、液晶ディスプレーでもよく、もちろん、本考案の特許請求範囲は上記に挙げられたものに限定されない。
このように、本考案は、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除してもよい。
【図面の簡単な説明】
【０００９】
【図１】従来のシングルユーザ式タブレットの使用状態を示す模式図である。
【図２】本考案の一実施例による同時使用可能なコードレスタッチ装置を示すブロック図である。
【図３】本考案の一実施例による同時使用可能なコードレスタッチ装置の使用状態を示す模式図である。
【符号の説明】
【００１０】
１０：入力ユニット、１１：タッチ入力パネル、１２：電波放射素子、２０：受信装置、２１：受信機、２２：ホスト、２３：ディスプレー
【図１】
0003135333.tif 000003
【図２】
0003135333.tif 000004
【図３】
0003135333.tif 000005